(57)【要約】      （修正有）【課題】ワイヤロープの長さ調整が容易であり、ネットの吊り張りが適切にでき、また、大空間部の上端側の形状に応じて適切に収納することができしかも乱巻き等が発生することなく安全性にとんだネット又はシート等の吊張体の吊張／収納システムを提供する。【解決手段】空間部の所望の箇所に設けられたウインチ１の巻回ドラムを回転駆動してネット又はシート等の吊張体５を空間部に吊り張りし、又はワイヤロープ等の紐状体３を巻き取り移動することでネット又はシート等の吊張体５を空間部の上端側に収納するネット又はシート等の吊張体５の吊張／収納システムにおいて、前記ネット又はシート等の吊張体５の下端側に設けられた巻き取り量を調整する巻取手段７でネット又はシート等の吊張体５の上端側の取り付け状態に応じてワイヤロープ等の紐状体３の下端側の長さを調整する。【選択図】図１
2010234044.tif 000002
【特許請求の範囲】
【請求項１】
空間部の所望の箇所に設けられたウインチの巻回ドラムを回転駆動して上端側を固定したネット又はシート等の吊張体の上端側より下端側に沿って直線状に取り付けられた挿通体に移動自在に挿通し下端側で固定したワイヤロープ等の紐状体を引き出し移動することでネット又はシート等の吊張体を空間部に吊り張りし、又は前記ワイヤロープ等の紐状体を巻き取り移動することでネット又はシート等の吊張体を空間部の上端側に収納するネット又はシート等の吊張体の吊張／収納システムにおいて、前記ネット又はシート等の吊張体の下端側に設けられたワイヤロープ等の紐状体の長さを調整する調整手段で、ネット又はシート等の吊張体の上端側の取り付け状態に応じてワイヤロープ等の紐状体の下端側の長さを調整することで、空間部に沿ってネット又はシート等の吊張体を吊り張りし、又はネット又はシート等の吊張体を空間部に沿って収納することを特徴とするネット又はシート等の吊張体の吊張／収納システム。
【発明の詳細な説明】
【技術分野】
【０００１】本発明は、空間部の上端側より吊り下げられたワイヤロープ等の紐状体を引き出しすることで、該ワイヤロープ等の紐状体に設けられたネット又はシート等の吊張体を屋内又は屋外の空間部に吊り張りして間仕切り用又は防球用として使用し、ワイヤロープ等の紐状体を巻き取りすることでネット又はシート等の吊張体を空間部の上端側に収納して空間部を開放するネット又はシート等の吊張体の吊張／収納システムに関する。
【背景技術】
【０００２】従来より、複数台のウインチを駆動し、各ウインチの巻回ドラムに巻回されたワイヤロープ等の紐状体を引き出し又は巻き取りすることで、該ワイヤロープ等の紐状体に直接又は間接的に取り付けられたネットを昇降移動するシステムを利用した施設が知られている。例えば、屋内用の施設として野球の試合を行うドーム型の屋内球技用施設、又は野球練習用の屋内球技用施設が知られ、また、屋外用の施設としてゴルフ練習場が知られている。【０００３】上記屋内用の施設に使用されるネット又はシート等の吊張体の吊張／収納移動システムは、屋内空間部を使用目的に応じて間仕切り又は防球用として使用するネットと、ネットの上端側より下端側に設けられたリング体に挿通し下端側で錘に連結した複数のワイヤロープと、該各ワイヤロープを引き出し及び巻き取りする複数台のウインチとから構成され、空間部を間仕切りする場合はネットの上端側を空間部の上部側に一定の間隔で直接、又は連結体を介して固定した後、ウインチを駆動することで各ワイヤロープを引き出してネットを空間部に吊り張りして間仕切りする。空間部を開放する場合は、各ワイヤロープをそれぞれ巻き取りすることで、ネットを空間部の上端側に収納移動して間仕切りした空間部を開放する。【０００４】また、長時間ネットを使用しない場合は、各ワイヤロープをそれぞれのウインチで上記開放位置よりさらに巻き取りし空間部の上端側に沿ってネットを移動してネットを折り畳んだ状態で収納する。
【発明が解決しようとする課題】
【０００５】しかしながら、上記屋内施設は大空間部を有するために吊り張りするネットはその荷重が重く、面積も大きいために、上記ネットに設けられたリング体にワイヤロープを挿通して移動するシステムでは、ワイヤロープの巻き取り又は引き出し時にワイヤロープに捩じれが発生しやすく、しかも各ワイヤロープの捩じれ量も相違する場合があり、初期に空間部の形状等に応じてワイヤロープの長さを調整しても、各ワイヤロープの長さに相違が生じやすく、このため空間部に応じた適切なネットの吊り張り移動、及び収納移動ができない。
【０００６】また、大空間部に吊り張りするネットは面積が大きいために、所望の間隔で吊り張りするワイヤロープの数も多く、各ワイヤーロープの初期の長さ調整及びメンテナンス時の長さ調整は煩雑な作業となる。
【０００７】特に、空間部の上端側の形状が円弧状等でネットの高さ方向の距離がそれぞれ相違する場合は、初期の各ワイヤロープの設定作業がさらに煩雑であり、各ワイヤロープの捩じれ量の相違が発生すると、その調整は不可能に近い状態となる。
【０００８】また、各ウインチは上端側の形状等により設置箇所が傾斜している場合や、取り付け位置により、上端側に取り付けられた滑車と正対してワイヤロープ等の紐状体を引出し移動又は巻き取り移動することができない場合があり、ワイヤロープ等の紐状体の乱巻きが発生しやすく、上記ワイヤロープの捩じれが発生しやすい。
【０００９】そこで、本発明は、ワイヤロープの長さ調整が容易であり、ネットの吊り張りが適切にでき、また、大空間部の上端側の形状に応じて適切に収納することができ、しかも乱巻き等が発生することなく安全性にとんだネット又はシート等の吊張体の吊張／収納システムを提供することを課題とする。
【課題を解決するための手段】
【００１０】本発明は上記課題を解決するための巻取式ウインチを用いたネット又はシート等の吊張体の移動システムの第１の解決手段は、請求項１に記載のように、空間部の所望の箇所に設けられたウインチの巻回ドラムを回転駆動して上端側を固定したネット又はシート等の吊張体の上端側より下端側に沿って直線状に取り付けられた挿通体に移動自在に挿通し下端側で固定したワイヤロープ等の紐状体を引き出し移動することでネット又はシート等の吊張体を空間部に吊り張りし、又は前記ワイヤロープ等の紐状体を巻き取り移動することでネット又はシート等の吊張体を空間部の上端側に収納するネット又はシート等の吊張体の吊張／収納システムにおいて、前記ネット又はシート等の吊張体の下端側に設けられたワイヤロープ等の紐状体の長さを調整する調整手段で、ネット又はシート等の吊張体の上端側の取り付け状態に応じてワイヤロープ等の紐状体の下端側の長さを調整することで、空間部に沿ってネット又はシート等の吊張体を吊り張りし、又はネット又はシート等の吊張体を空間部に沿って収納することを特徴とする。
【発明の作用・効果】
【００１１】次に、本発明のネット又はシート等の吊張体の吊張／収納システムの作用及び効果について記載する。
【００１２】ネット又はシート等の吊張体は、上端側を空間部に直接（例えば、天井の梁等に固定する）、又は連結体（横方向に連結したワイヤーロープ等を介して固定する）を介して固定している。
【００１３】巻取式ウインチは、屋内外の所望の空間部（空間部に応じて、床面／地面側、側面又は上方の梁／枠体）に間隔を設けて複数台を設置する。
【００１４】各巻取式ウインチの巻回ドラムに巻回されたワイヤロープ等の紐状体は、ネット又はシート等の吊張体の上端側より下端側に沿って直線状に取り付けられた挿通体にそって移動自在に挿通した後、該ネット又はシート等の吊張体の下端側で錘体に連結する。
【００１５】ネット又はシート等の吊張体は通常固定した上端側に収納した状態であり、該状態よりネット又はシート等の吊張体を移動して空間部に吊り張りする作用を説明する。
【００１６】先ず、複数台の巻取式ウインチの巻回ドラムをそれぞれ回転駆動して各ワイヤロープ等の紐状体を巻回ドラムより引き出し、ネット又はシート等の吊張体を下方側に段階的に広げながら吊り張りすることで、適切に空間部を間仕切りすることができる。
【００１７】この際、各ワイヤロープ等の紐状体は初期に長さを調整しているためにネット又はシート等の吊張体を空間部に吊り張りできるが、ネット又はシート等の吊張体の荷重等により使用頻度に応じてワイヤロープ等の紐状体間でそれぞれ相違する捩じれ等が発生し、初期に設定したワイヤロープ等の紐状体の長さに相違が発生する。
【００１８】上記ワイヤロープ等の紐状体の長さに相違が発生すると、ネット又はシート等の吊張体を適切に空間部に吊り張りすることができないために、その部分の各ワイヤロープ等の紐状体の下端側に設けられた調整手段を用いて、それぞれのワイヤロープ等の紐状体の長さを調整することで、捩じれ等を解消することでネット又はシート等の吊張体を適切に吊り張りする。
【００１９】次に、吊り張りしたネット又はシート等の吊張体を移動して空間部を開放する作用について説明する。
【００２０】先ず、上記空間部を間仕切り等した状態より各巻取式ウインチの巻回ドラムを回転駆動して各ワイヤロープ等の紐状体を巻回ドラムに巻き取りし、挿通体の設けられたネット又はシート等の吊張体を下方側より折り畳みながら上方に移動してネット又はシート等の吊張体の固定された上端側近傍に位置することで空間部を開放する。
【００２１】この際も上記吊り張りする場合と同様に、巻取式ウインチの巻回ドラムを回転駆動して各ワイヤロープ等の紐状体を巻き取りするが、ネット又はシート等の吊張体の荷重等により使用頻度に応じて各ワイヤロープ等の紐状体に相違する捩じれが発生し、ワイヤーロープ等の紐状体の移動する距離が相違する場合があり、上端側近傍に沿ってネット又はシート等の吊張体を適切に収納することができない。
【００２２】そこで、ネット又はシート等の吊張体の下端側に設けられた調整手段を用いて、上記捩じれ等により適切にネット又はシート等の吊張体を収納できていない部分のワイヤロープ等の紐状体を所望量巻き取り調整することにより、全てのワイヤロープ等の紐状体分を適切に巻き取りでき、上端側近傍に沿ってネット又はシート等の吊張体を収納することができる。
【００２３】特に、空間部の上端側の形状が円弧状等高さ方向に距離の相違があり、各ワイヤロープ等の紐状体の引き出し又は巻き取り量が相違するために、各ウインチの駆動制御だけでは、ネット又はシート等の吊張体を適切に収納することができない場合が多く発生するが、本発明においては調整手段により必要とするワイヤロープ等の紐状体のみを所望量巻き取ることで、容易にネット又はシート等の吊張体を上端側の形状に応じて適切に収納することができる。
【００２４】また、再度ネット又はシート等の吊張体で空間部を間仕切りする場合は、複数台の巻取式ウインチの巻回ドラムをそれぞれ回転駆動して各ワイヤロープ等の紐状体を引き出すことにより、ネット又はシート等の吊張体に取り付けられた挿通体に沿って広げながら下方側に移動して空間部に吊り張りする。
【００２５】もし、ワイヤロープ等の紐状体の長さが適切でない場合は、調整手段により巻き取ったワイヤロープ等の紐状体を引き出すことで、ワイヤロープ等の紐状体の長さを調整し、適切にネット又はシート等の吊張体で空間部を間仕切りする。尚、調整手段の作動は時期は特に問うものでなく、ウインチの巻回ドラムを回転駆動する前に行うことも可能である。
【００２６】このように、本発明のネット又はシート等の吊張体の吊張／収納システムは収納時において調整手段を使用することにより空間部の上端側に適切にネット又はシート等の吊張体を収納することができる。
【００２７】しかも、その調整がネット又はシート等の吊張体の下端側に設けられた調整手段で調整することができるために、安全に且つ容易に調整することができる。
【００２８】また、従来のシステムのように空間部の上方で個々のワイヤロープ等の紐状体の長さを調整するような煩雑で危険を伴うメンテナンスを頻繁に行うことなく適時、下方側で個々のワイヤロープ等の紐状体の長さを調整することができる。
【００２９】また、常に適切にネット又はシート等の吊張体を吊り張りすることができ、また、収納時においてもスムーズな収納ができるためにその作業効率を格段に上げることができる。
【００３０】上記調整手段は、それぞれ１本のワイヤロープ等の紐状体の長さ調整を行ったが、２本等複数のワイヤロープ等の紐状体を１つの調整手段で調整することも可能である。
【００３１】また、各ウインチの巻回ドラムの回転駆動によるワイヤロープ等の紐状体の取り出し量及び取り込み量の設定が容易で、多数のウインチを容易に同期することができる。
【発明を実施するための最良の実施の形態】
【００３２】以下、本発明のウインチを用いたネット又はシート等の吊張体の収納システムの一実施例について図面を用いて説明する。
【００３３】図１は本発明のネット又はシート等の吊張体の吊張／収納移動システムの実施例を示す概略全体説明図であり、図２はネット又はシート等の吊張体の吊張／収納移動システムの収納状態を示す概略説明図であり、図３は調整手段によりネット又はシート等の吊張体の収納完了状態を示す概略説明図であり、図４はネット又はシート等の吊張体の吊張／収納移動システムを示すフローチャートであり、図５は連結棒状体を介して複数の調整手段が取り付けられた状態を示す概略説明図であり、図６は空間部の所望の箇所に設けられたウインチの取り付け状態と上端側に取り付けられた滑車との関係を示す概略説明図であり、図７は調整手段が床面／地面に設置された状態を示す概略説明図であり、図８は調整手段で同時に２以上のワイヤロープ等の紐状体の長さを同時に調整するネット又はシート等の吊張体の吊張／収納移動システムを示す概略説明図であり、図９は調整手段の他実施例を示す概略説明図である。
【００３４】本発明のネット又はシート等の吊張体の吊張／収納システムの一実施例について説明する。本実施例では、屋内の空間部を間仕切り場合について説明する。
【００３５】本発明のネット又はシート等の吊張体の吊張／収納システムは、大空間部Ａの天井側の梁部分に沿って一定の間隔で直接又は枠台（図示せず）を用いて等間隔で設置された複数個の巻取式ウインチ１（ネット又はシート等の吊張体の面積に応じて数が決定される）と、該巻取式ウインチ１の巻回ドラムに巻回された紐状体３を引き出し方向を決定すべく巻取式ウインチ１の近傍に取り付けられた近傍滑車４と、該滑車４を介して下方側へ引き出された複数の紐状体３に連結された吊張体５としてのネットとから構成されている。尚、巻取式ウインチ１の近傍に取り付けられた滑車４を介して取り出された紐状体３は巻取式ウインチ１の設置位置と吊張体５の吊り張り位置との関係で、第２、第３の滑車（図示せず）を介してネットに連結される。
【００３６】本発明において、紐状体３はワイヤロープに限定されるものでなく樹脂製のロープ、その他近年開発された各種ロープを含むものである。
【００３７】上記の巻取式ウインチ１は、基本的にウインチ本体と駆動源とから構成され、ウインチ本体には駆動源に連結（直接的／間接的）し回転駆動（手動電動又はアシスト電源で回転駆動する構成等その駆動手段は目的に応じて自在に選択することができる）する駆動軸と、該駆動軸に設けられた巻回ドラムが設けられている。
【００３８】上記各巻取式ウインチ１は、大面積の吊張体５を移動するために等間隔で設置する必要があり、設置位置により傾斜する部分に取り付ける巻取式ウインチ１があると滑車４と正対することができないために、紐状体３の巻回ドラム部分での乱巻きや、紐状体３の移動時の捩じれ／撓みが発生しやすくなるが、この場合に巻取式ウインチ１及び近傍の滑車４を３６０度回転する基台１Ａ、回転台４Ａにそれぞれ取り付けることで常に巻取式ウインチ１の巻回ドラムと滑車４とは正対位置とすることが可能となる。
【００３９】尚、前記基台１Ａ、回転台４Ａとは必須の構成ではなく、設置位置の状況に応じて固定式の巻取式ウインチ１を使用することも可能である。また、巻取式ウインチ１の設置位置は、床面／地面側に設置し紐状体３を上端側に移動し、滑車４を介して吊張体５に連結することも可能である。
【００４０】上記吊張体５の上端側は、空間部Ａ上部横方向に沿って複数箇所で固定された吊り張りワイヤロープ等の固定紐状体３Ａに取り付けることで、上端側の取り付け位置が決定されている。尚、吊張体５の上端部の固定は固定紐状体３Ａに限定するものでなく、例えば、天井の梁に沿って連結具を介して取り付けることも可能であり、また天井側に沿って固定された別体の吊張体の下端側に直接又は間接的にワイヤロープ等の固定紐状体を用い固定することも可能である。要は、吊張体５の上端側が空間部で固定されていればよい。
【００４１】紐状体３と吊張体５との連結は、吊張体５の縦方向で所望の間隔で直線状に複数個取り付けられた挿通体としてのリング６に紐状体３を挿通し、該吊張体５の下端部側で調整手段としての調整具７にその先端を巻き取り連結している。尚、紐状体３の調整具７への連結は、巻き取りに限定されるものでなく、予め長さ調整した紐状体３を収納体に収納する方法も可能である。また、紐状体３の下端側に取り付けた長さ調整可能なストッパーとして構成することも可能である。
【００４２】上記調整具７は、定荷重のスプリングやバネ等を動力源として巻取リングに紐状体３を巻き取り可能で、ビス等のストッパーでその巻き取り量を調整すべく構成されている。
【００４３】上記吊張体５の下端側には直接又は間接的に錘体（吊張体５が網目に沿って伸縮するのを防止し、垂直状態に維持するための錘）に取り付けられている。
【００４４】上記錘体（図示せず）は紐状体３の捩じれを防止するために、回動自在な連結具を介して取り付けられている。
【００４５】上記各紐状体３の長さ調整は、円弧状の空間部の場合は、最も高い天頂天井部に相当する部分の滑車４の位置と対応する位置に設置した滑車４との高さ方向の距離に沿って順次段階的に調整を行う。（図面１では距離ａ，ｂ，ｃのように調整する。）
【００４６】上記巻取式ウインチ１はそれぞれ制御盤（図示せず）を用いて同期した状態で駆動するが、紐状体３の長さ調整がすでにできているために、始動と停止等の時間制御等の簡易な制御で対応することができる。尚、制御盤を用いる事は必須の構成ではなく、例えば、巻取式ウインチ１個々に駆動すべく構成することも可能である。
【００４７】上記のように構成された実施例のウインチを用いたネット又はシート等の吊張体の吊張／収納システムを、屋内の大空間部Ａで使用する場合について説明する。
【００４８】先ず、所望の空間部Ａの形状等に応じて、必要とする数の巻取式ウインチ１を空間部Ａの上部側の横方向に一定の間隔を開けて複数設置する。この際、巻取式ウインチ１の中には傾斜している場所に設置する必要がある巻取式ウインチ１や、滑車４と正対しない位置に設置しなければならない場合があると、巻取式ウインチ１は基台１Ａを回動してその傾斜を解消し、回転台４Ａを回転して滑車４を該当する巻取式ウインチ１と正対させる。
【００４９】その後、前記空間部Ａ上方の形状に応じて固定ワイヤロープ等の紐状体３Ａを複数の固定箇所を介して架設し吊張体５の上端側を前記固定紐状体３Ａに取り付ける。これにより、吊張体５の吊り張り時の上端側及び吊張体５の収納時の位置が決定されることとなる。
【００５０】次に、各巻取式ウインチ１の巻回ドラムを回転駆動し巻回ドラムに巻回された紐状体３をそれぞれ引き出し移動し、天井側に取り付けられた滑車４を介して床面側まで引き出し移動する。この際、紐状体３は吊張体５の上端側より下端側に沿って直線状（縦方向）に設けられたリング６に挿通するとともに、吊張体５の下端側で各紐状体３の先端を調整具７に連結し、該調整具７で巻き取りできるように設置する。
【００５１】そして、各巻取式ウインチ１の巻回ドラムを上記と逆方向に回転駆動し、上端側との高さに応じて各紐状体３を所望量巻き取り移動して調整することで、吊張体５を空間部Ａに吊り張りする。尚、この調整した各紐状体３の長さを制御盤に設定することで、以後の各紐状体３の引き出し及び巻き取り量が決定されることとなる。
【００５２】これにより、吊張体５を空間部Ａに間仕切り用として、又は防球用として使用することができる。
【００５３】次に、吊張体５を上記空間部Ａの上端側に沿って収納する場合は、再度制御盤によりその駆動を制御した状態で各巻取式ウインチ１の巻回ドラムを回転駆動し巻回ドラムに巻回された各紐状体３をその長さに応じてそれぞれ滑車４の近傍まで巻き取りする。
【００５４】上記各紐状体３の巻き取りにより、吊張体５はリング６部分で折り返しながら下方側より多重に折り畳んで上端側へ移動し、固定紐状体３Ａの近傍に位置してその位置で収納する。
【００５５】これにより、空間部Ａが開放されることとなり、他の目的で屋内空間部Ａを使用することができる。
【００５６】また、各巻取式ウインチ１の巻回ドラムと滑車４とは正対することで、通常の巻取式ウインチ１を用いる場合に比し紐状体３の巻き取り移動時において、乱巻き等が発生しにくく、連続した吊張体５の空間部Ａへの吊り張／開放の繰り返しを可能とする。そして、乱巻き等が発生しにくいために調整具７による紐状体３の巻き取り調整が容易に行える。
【００５７】しかしながら、吊張体５は空間部Ａの大きさに応じて大面積であるためにその荷重が重く、紐状体３に捩じれが発生しやすくその捩じれ量が相違するために、各紐状体３間で最初に調整した長さに相違が発生し、吊張体５を吊り張りした際に下端側が不揃いになったり、吊張体５を収納した際に折り畳みが不十分となり最初に設定した上端の位置に適切に収納することができない。
【００５８】この場合は、該当紐状体３の調整具７でより余分な紐状体３のみを巻き取る、又は足りない紐状体３のみを引き出しすることで、安全に且つスムーズに吊張体５を吊り張りした際の下端側を揃えるとともに、空間部Ａの上端側に沿って適切に吊張体５を収納することができる。
【００５９】従って、従来にように、紐状体３の巻取式ウインチ１での乱巻き等の解消、捩じれや撓みの解消等頻繁なメンテナンスを必要とすることなく、常に最適な吊張体５の吊り張り及び収納を可能とする。
【００６０】次に、再度空間部Ａを間仕切る場合は、上記と同様に制御盤により各巻取式ウインチ１の巻回ドラムを回転駆動し巻回ドラムに巻回された紐状体３をそれぞれ引き出し移動し、天井側に取り付けられた滑車４を介して床面側まで引き出し移動することで吊張体５を下方より広げながら吊り張りできる。この際該吊張体５の下端側が不規則状態となると、調整具７により、不規則部分（長くなった部分又は短くなった部分）の紐状体３の巻き取り又は引き出し量を調整して引き出し吊張体５の下端側を直線状に位置させる。
【００６１】このように、本発明は、調整具７により紐状体３の巻き取り長さを調整することができ、常に適切に吊張体５を空間部の上端側に収納することができる。
【００６２】また、調整具７が吊張体５の下端側に取り付けられているために、従来のような上端側での高所作業を必要とすることなく、安全に且つ誰でもそのメンテナンスを容易に行うことができる。
【００６３】尚、上記実施例では、調整具７は、それぞれ吊張体５の下端側に直接設けたが、本発明において調整具７の取り付け方法はこの方法に限定されるものでなく、例えば吊張体５の下端側に各紐状体３間より長い連結棒状体８を連結し、該連結棒状体８に複数個の調整具７を一体として取り付けることで、連結棒状体８毎に紐状体３の高さ方向の長さを微調整することも可能である。
【００６４】上記の場合、吊張体５の面積の大きさに応じて自在に連結棒状体８の長さを変更し、最適な吊張体５の吊り張り移動及び収納移動を可能にすることができる。
【００６５】また、上記の場合、吊張体５の収納時において、予め調整具７で各紐状体３の長さを調整することで、空間部Ａの上端側に形状に沿って吊張体５とともに連結棒状体８を位置させて収納するこができる。
【００６６】また、上記実施例では、巻取式ウインチ１の傾斜を基台１Ａで解消し、巻取式ウインチ１と滑車４との正対を回転台４Ａで解消したが、本発明において巻取式ウインチ１の傾斜の解消及び巻取式ウインチ１と滑車４との正対方法はこれに限定されるものでなく、例えば直線状の台を空間部Ａの上端側に設置し、該台に各巻取式ウインチ１を設置することで、傾斜の対応及び滑車４との正対位置を決定することも可能である。
【００６７】更に、上記実施例では、調整具７は吊張体５の下端側に取り付けたが、調整具７を床面又は地面に固定することで吊張体５の下方側を適切に広げて隙間無く吊り張りすることも可能である。
【００６８】また、上記実施例では、空間部Ａ上方の形状に応じて固定紐状体３Ａを複数の固定箇所を介して架設し吊張体５の上端側を前記固定紐状体３Ａに取り付けたが、本発明において吊張体５の上端側の固定はこれに限定されるものでなく、従来より公知の梁等への縫い付け方法等を用いることも可能である。
【００６９】また、上記実施例では、１台の調整具７で１本の紐状体３の長さ調整を行ったが、本発明において調整具７による紐状体３の長さ調整はこれに限定されるものでなく、例えば、１台の調整具７で２本等複数本の紐状体３の長さ調整を行うことも可能である。特に屋外においては風、雨等の自然の影響を受けやすく、１台の調整具７で複数本の紐状体３の長さ調整を行うことで、素早い調整が可能となる。
【００７０】また、上記実施例では、調整具７を吊張体５の下端側に取り付けたが、本発明において調整具７の取り付け位置はこれに限定されるものでなく、例えば、床面／又は地面に着脱自在に取り付けることで、吊張体５を広げた状態とすることができる。
【００７１】また、上記実施例では、調整具７で紐状体３を巻き取りすることで長さ調整したが、本発明において調整具７による紐状体３の長さ調整はこれに限定されるものでなく、例えば、調整具７を紐状体３に取り付けたストッパーとして長さを調整するように構成することで、最長の紐状体３との差（ａ、ｂ）を設けて紐状体３の先端に調整具７を取り付け、各巻取式ウインチ１の巻回ドラムを同期して回転駆動し各調整具７が順次吊張体５の下端に当接することで、吊張体５を吊り張り又は収納することができる。
【図面の簡単な説明】
【００７２】
【図１】本発明のネット又はシート等の吊張体の吊張／収納移動システムの実施例を示す概略全体説明図
【図２】ネット又はシート等の吊張体の吊張／収納移動システムの収納状態を示す概略説明図
【図３】巻取手段によりネット又はシート等の吊張体の収納完了状態を示す概略説明図
【図４】ネット又はシート等の吊張体の吊張／収納移動システムを示すフローチャート
【図５】連結棒状体を介して複数の巻取手段が取り付けられた状態を示す概略説明図
【図６】空間部の所望の箇所に設けられたウインチの取り付け状態と上端側に取り付けられた滑車との関係を示す概略説明図
【図７】調整手段が床面／地面に設置された状態を示す概略説明図
【図８】調整手段で同時に２以上のワイヤロープ等の紐状体の長さを同時に調整するネット又はシート等の吊張体の吊張／収納移動システムを示す概略説明図
【図９】調整手段の他実施例を示す概略説明図
【符号の説明】
【００７７】１…巻取式ウインチ、３…紐状体、５…吊張体
【図１】
2010234044.tif 000003
【図２】
2010234044.tif 000004
【図３】
2010234044.tif 000005
【図４】
2010234044.tif 000006
【図５】
2010234044.tif 000007
【図６】
2010234044.tif 000008
【図７】
2010234044.tif 000009
【図８】
2010234044.tif 000010
【図９】
2010234044.tif 000011